(57)【要約】【課題】プリピット部の影響を抑えて、安定したディスク判別とサーボ信号生成部の回路ゲイン設定を可能とする。【解決手段】システム制御部４０は、光ピックアップ１０が備える対物レンズ駆動手段により、対物レンズを焦点方向に駆動させる動作を往復駆動により複数回行う。そしてシステム制御部４０は、対物レンズを駆動した結果サーボ信号生成部２０から出力されるフォーカスエラー信号のＳ字状波形の振幅測定を行う。そして、各駆動方向毎の振幅測定結果のうちの中間値を採用し、その中間値の振幅測定結果から光ディスクの種類を判別する。ここでは、光ディスクの種類による反射率の違いから、振幅に応じた光ディスクを判別することができる。また、複数回の振幅測定結果の中間値を採用することにより、プリピットの影響や、光ディスクのごみや傷の影響を排除することができる。【選択図】図１
2005346867.tif 000002
【特許請求の範囲】
【請求項１】
光ディスクの半径位置によらず１周の記録領域中にプリピットでデータが記録された領域が存在する光ディスクを含む複数の種類の光ディスクへの情報記録及び記録情報の再生を行う光ディスク装置によるディスク判別方法であって、前記光ディスク装置が備える光ピックアップの対物レンズを焦点方向に駆動し、該駆動した結果検出されるＳ字状のフォーカスエラー信号を含むサーボ信号の振幅を測定することにより、光ディスクの種類を判別するディスク判別方法において、前記対物レンズを焦点方向に駆動させる動作を往復駆動によって複数回行い、該駆動した結果検出される各Ｓ字状のフォーカスエラー信号の振幅測定を行い、複数回の焦点方向への駆動により検出された各駆動方向毎の前記振幅測定結果のうちの中間値を採用し、該中間値の振幅測定結果から光ディスクの種類を判別することを特徴とする光ディスクの判別方法。
【請求項２】
光ディスクの半径位置によらず１周の記録領域中にプリピットでデータが記録された領域が存在する光ディスクを含む複数の種類の光ディスクへの情報記録及び記録情報の再生を行う光ディスク装置によるディスク判別方法であって、前記光ディスク装置が備える光ピックアップの対物レンズを焦点方向に駆動し、該駆動した結果検出されるＳ字状のフォーカスエラー信号を含むサーボ信号の振幅を測定することにより、光ディスクの種類を判別するディスク判別方法において、前記対物レンズを焦点方向に駆動させる動作を往復駆動によって複数回行い、該駆動した結果検出される各Ｓ字状のフォーカスエラー信号毎に最大値及び最小値を測定し、該測定した最大値の中間値及び最小値の中間値を採用し、各中間値からフォーカスエラー信号の振幅を求めて、該求めた振幅から光ディスクの種類を判別することを特徴とする光ディスクの判別方法。
【請求項３】
請求項１に記載の光ディスクの判別方法において、前記フォーカスエラー信号の各振幅測定結果のうち、前記中間値と比較して規定値以上異なる結果が存在する場合は、現在の光ディスクが半径位置によらず１周の記録領域の中にプリピットでデータが記録された領域が存在する光ディスクであると判別することを特徴とする光ディスク装置のディスク判別方法。
【請求項４】
請求項２に記載の光ディスクの判別方法において、前記フォーカスエラー信号の各最大値及び各最小値の測定結果のうち、前記中間値と比較して規定値以上異なる結果が存在する場合は、現在のディスクが半径位置によらず１周の記録領域の中にプリピットでデータを記録した領域が存在する光ディスクであると判別することを特徴とする光ディスク装置のディスク判別方法。
【請求項５】
光ディスクの半径位置によらず１周の記録領域中にプリピットでデータが記録された領域が存在する光ディスクを含む複数の種類の光ディスクへの情報記録及び記録情報の再生を行うようにした光ディスク装置における信号ゲイン調整方法であって、前記光ディスク装置が備える光ピックアップの対物レンズを焦点方向に駆動し、該駆動した結果検出されるＳ字状のフォーカスエラー信号の振幅を測定することにより、該測定結果から前記光ディスク装置のサーボ信号生成部の回路ゲイン設定を行うようにした光ディスク装置の信号ゲイン調整方法において、前記対物レンズを焦点方向に駆動させる動作を往復駆動により複数回行い、該駆動した結果検出される各Ｓ字状のフォーカスエラー信号の振幅測定を行い、複数回の焦点方向への駆動により検出された各駆動方向毎の前記振幅測定結果のうちの中間値を採用し、該中間値の振幅測定結果から光ディスク装置のサーボ信号生成部の回路ゲイン設定を行うことを特徴とする光ディスク装置の信号ゲイン調整方法。
【請求項６】
光ディスクの半径位置によらず１周の記録領域中にプリピットでデータが記録された領域が存在する光ディスクを含む複数の種類の光ディスクへの情報記録及び記録情報の再生を行う光ディスク装置であって、該光ディスク装置は、ディスクに光スポットを結像する対物レンズ及び該対物レンズをその焦点方向に駆動するレンズ駆動手段を備える光ピックアップと、該光ピックアップからの信号によりサーボ信号を生成するサーボ信号生成部と、該サーボ信号生成部で生成されたサーボ信号の位相補償を行い、駆動信号に変換して前記レンズ駆動手段を駆動するサーボ制御部と、前記サーボ信号生成部で生成されたサーボ信号の測定を行って、光の種類の判別を行う制御部とを有し、前記制御部は、前記レンズ駆動手段により前記対物レンズを焦点方向に駆動させる動作を往復駆動により複数回行い、該駆動した結果検出される各Ｓ字状のフォーカスエラー信号の振幅測定を行い、複数回の焦点方向への駆動により検出された各駆動方向毎の前記振幅測定結果のうちの中間値を採用し、該中間値の振幅測定結果から光ディスクの種類を判別することを特徴とする光ディスク装置。
【請求項７】
ディスクの半径位置によらず１周の記録領域中にプリピットでデータが記録された領域が存在するディスクを含む複数の種類の光ディスクへの情報記録及び記録情報の再生を行う光ディスク装置であって、該光ディスク装置は、光ディスクに光スポットを結像する対物レンズ及び該対物レンズをその焦点方向に駆動するレンズ駆動手段を備える光ピックアップと、該光ピックアップからの信号によりサーボ信号を生成するサーボ信号生成部と、該サーボ信号生成部で生成されたサーボ信号の位相補償を行い、駆動信号に変換して前記レンズ駆動手段を駆動するサーボ制御部と、前記サーボ信号生成部で生成されたサーボ信号の測定を行って、光ディスクの種類の判別を行う制御部とを有し、前記制御部は、前記レンズ駆動手段により前記対物レンズを焦点方向に駆動させる動作を往復駆動により複数回行い、該駆動した結果検出される各Ｓ字状のフォーカスエラー信号毎に最大値及び最小値を測定し、該測定した最大値の中間値及び最小値の中間値を採用し、各中間値からフォーカスエラー信号の振幅を求めて、該求めた振幅から光ディスクの種類を判別することを特徴とする光ディスク装置。
【請求項８】
請求項６に記載の光ディスク装置において、前記制御部は、前記フォーカスエラー信号の各振幅測定結果のうち、前記中間値と比較して規定値以上異なる結果が存在する場合は、現在の光ディスクが半径位置によらず１周の記録領域の中にプリピットでデータを記録した領域が存在する光ディスクであると判別することを特徴とする光ディスク装置。
【請求項９】
請求項７に記載の光ディスク装置において、前記フォーカスエラー信号の各最大値及び各最小値の測定結果のうち、前記中間値と比較して規定値以上異なる結果が存在する場合は、現在の光ディスクが半径位置によらず１周の記録領域の中にプリピットでデータを記録された領域が存在する光ディスクであると判別することを特徴とする光ディスク装置。
【請求項１０】
光ディスクの半径位置によらず１周の記録領域中にプリピットでデータが記録された領域が存在する光ディスクを含む複数の種類の光ディスクへの情報記録及び記録情報の再生を行う光ディスク装置であって、該光ディスク装置は、光ディスクに光スポットを結像する対物レンズ及び該対物レンズをその焦点方向に駆動するレンズ駆動手段を備える光ピックアップと、該光ピックアップからの信号によりサーボ信号を生成するサーボ信号生成部と、該サーボ信号生成部で生成されたサーボ信号の位相補償を行い、駆動信号に変換して前記レンズ駆動手段を駆動するサーボ制御部と、前記サーボ信号生成部で生成されたサーボ信号に基づいて前記サーボ信号生成部の回路ゲイン設定を行う制御部とを有し、前記制御部は、前記レンズ駆動手段により前記対物レンズを焦点方向に駆動させる動作を往復駆動により複数回行い、該駆動した結果検出される各Ｓ字状のフォーカスエラー信号の振幅測定を行い、複数回の焦点方向への駆動により検出された各駆動方向毎の前記振幅測定結果のうちの中間値を採用し、該中間値の振幅測定結果から前記サーボ信号生成部の回路ゲイン設定を行うことを特徴とする光ディスク装置。
【発明の詳細な説明】
【技術分野】
【０００１】
本発明は、光ディスク装置のディスク判別方法、信号ゲイン調整方法及び光ディスク装置に関し、より詳細には、半径位置によらず１回転の中にプリピットでデータが記録された領域が存在する光ディスクに対応した光ディスク装置のディスク判別方法、信号ゲイン調整方法及び光ディスク装置に関する。
【背景技術】
【０００２】
例えば、ＣＤとＤＶＤなどの複数の光ディスク媒体に対応可能な光ディスク装置が提供されている。このような複数の種類の光ディスクに対応した光ディスク装置では、その装置に挿入されている光ディスクの種類を判別する必要がある。複数の光ディスクの種類を判別する一般的な動作の一例を図面を参照して説明する。
【０００３】
図６は、光ディスク装置の構成例を説明するためのブロック図で、光ディスク装置は、光ピックアップ１０，サーボ信号生成部２０，サーボ制御部３０，及びシステム制御部４０を備えている。また図７は、上記の光ピックアップ１０の構成の一例を概略的に示す図で、ここではＣＤ及びＤＶＤに対応した光ピックアップの一例を示している。
【０００４】
図７の構成例において、光ピックアップ１０には、光源１１を構成するレーザダイオード１１ａ，１１ｂ、回折格子１２、ビームスプリッタ１３，対物レンズ１４、光ディスクＤからの反射光を受光する光検出器１５等が備えられ、さらに対物レンズ１４の光軸方向（矢印ｍ）の位置を制御する図示しない対物レンズ駆動装置が備えられている。この例では、２つのレーザダイオード１１ａ，１１ｂは、それぞれＣＤ用レーザダイオードとＤＶＤ用レーザダイオードである。
【０００５】
光源１１から出射したレーザ光は、回折格子１２を通過した後ビームスプリッタ１３によって対物レンズ１４側に反射し、対物レンズ１４によって光ディスクＤに光スポットを結像する。光ディスクＤで反射した光は、対物レンズ１４とビームスプリッタ１３を通過して光検出器１５に入射し、電気信号に変換される。
【０００６】
図６のサーボ信号生成部２０は、光ピックアップ１０からの信号によりサーボ信号を生成し、サーボ制御部３０に送る。サーボ制御部３０では、送られたサーボ信号の位相補償を行い、駆動信号に変換して光ピックアップ１０の対物レンズ駆動装置を駆動する。
【０００７】
またシステム制御部４０は、例えばＡＤ変換装置などにより、サーボ信号生成部２０で生成されるサーボ信号の測定を行って、光ディスクの種類の判別、サーボ信号生成部２０の回路ゲインの設定、及びサーボループオンタイミング生成などの制御を行う。
【０００８】
光ディスク装置に挿入された光ディスクの種類を判別する場合、まずシステム制御部４０は、サーボ信号生成部２０やサーボ制御部３０に対して、光ディスクの判別に適した回路を選択し、そのゲインを設定する。例えば、図７のように複数の光ディスクに対応すべく複数のレーザが備えられている場合は、判別に適したレーザダイオードを選択する。そして、光ピックアップ１０の対物レンズ１４を焦点方向に駆動して合焦点を通過させ、その時のサーボ信号生成部２０の出力であるフォーカスエラー信号、トラックエラー信号、全加算信号を測定して各信号の振幅や、それぞれの比率等から光ディスクの判別を行う。
【０００９】
上記のごとくの光ディスクの種類を自動判別する技術として、例えば、特許文献１に記載された光ディスクの判別装置及び判別方法がある。ここでは、光ディスク装置が、光ディスクの種類を判別するためのディスク判別モードになると、ディスク判別のために設けられたフォーカスサーチ回路から駆動信号が出力され、光ピックアップの対物レンズが焦点方向（光軸方向）に上下に移動する。
【００１０】
このときフォーカスエラー信号においては、光ピックアップの対物レンズの移動に伴って、基板表面及び記録面の反射によってＳ字状波形が現れる。そして光ディスク装置は、Ｓ字状波形に対応してパルスを発生する。例えば、２層の記録層を有する片面２層ＤＶＤディスクや、スーパーオーディオＣＤのようなハイブリッドディスクにおいては、対物レンズが一方向に移動したとき、２層の記録層に応じた２回のＳ字状波形が現れ、そのＳ字状波形に対応した２回のパルスが生じる。そしてこのパルスを監視し、パルスの数及び複数のパルスが発生する場合のパルス間隔から、光ディスクの種類を判別するようにしている。
【特許文献１】特開平１１−３５３７８５号公報
【発明の開示】
【発明が解決しようとする課題】
【００１１】
記録可能な光ディスクには、物理的な構造が異なる複数種類の光ディスクがあるが、その中には、データ記録領域とアドレス情報の記録領域とで異なる構造を有しているものもある。例えば、データ記録領域は溝状の形状を有しているが、アドレス情報の記録領域は溝状の形状ではなくプリピットの形状となっている光ディスクもある。一般的に、溝状の形状を有している光ディスクでは、対物レンズを焦点方向に移動させたときのフォーカスエラー信号は、特許文献１でも示されているように、図８（Ａ）に示すようなＳ字状の波形になる。
【００１２】
しかしながら、溝状の形状部とプリピット部が形成された光ディスクにおいて、対物レンズの合焦点付近でプリピット部が移動した場合は、図８（Ｂ）あるいは図８（Ｃ）のようなフォーカスエラー信号が得られる。この場合、フォーカスエラー信号の振幅は、明らかに本来の振幅（溝状形状部の振幅）より大きな値になるため、図８（Ａ）の波形に基づいてディスク判別を行うようにした場合、プリピット部の影響によって間違った判別を行ってしまったり、サーボ信号生成部２０の回路ゲイン設定を実際に必要なゲインより小さく設定してしまう可能性が生じる。
【００１３】
例えば、データ記録領域でのＳ字波形の振幅が１Ｖの光ディスクにおいて、フォーカスエラー信号がプリピット部の影響を受けて、そのＳ字状波形の振幅が２Ｖになったとする。この場合、回路等のゲイン設定を振幅２Ｖで行ってしまう。一般的に、サーボはＳ字信号の真中にかける。この場合、振幅が１Ｖの場合は、両側０.５Ｖ相当の範囲がサーボ動作可能な範囲となる。
【００１４】
これに対して、振幅を２Ｖとした場合は、両側１Ｖ相当の範囲がサーボ動作可能な範囲となる。サーボの異常を片側の振幅の１／２で判別する場合、Ｓ字状波形を測定した時にプリピットの影響で振幅が２Ｖと測定された場合の異常検出は０.５Ｖで行うことになり、本来の振幅１Ｖでは、サーボ外れが発生するまで異常が検出できないことになる。
【００１５】
また、上記特許文献１の技術では、パルスの数と間隔で光ディスクの種類の判別を行うようにしているため、記録層を２層備えた光ディスクと、１層の記録層の光ディスクの判別を行うことはできるが、上記のようにプリピット部を有する光ディスクの判別や、その他反射率が異なる各種の光ディスクの判別を行うことはできない。
【００１６】
また、光ディスクにごみが付着したり、光ディスクに傷が付いているような場合に、その部分で対物レンズを駆動すると、フォーカスエラー信号の振幅は、反射率の低下により本来の振幅より小さくなるため、この波形に基づいて光ディスクの種類を判別したり、回路ゲイン設定を行ったりすると、不具合が生じることになる。
【００１７】
本発明は上述のごとき実情に鑑みてなされたもので、光ピックアップの対物レンズをその光軸方向に移動させることにより得られる信号波形から光ディスクの種類を判別する装置において、プリピットが形成された光ディスク、あるいはゴミが付着したり傷が付いた光ディスクに対しても、これらの影響による振幅異常を押さえて安定したディスク判別とサーボ信号生成部の回路ゲイン設定を可能とした光ディスク装置のディスク判別方法、信号ゲイン調整方法及び光ディスク装置を提供することを目的とするものである。
【課題を解決するための手段】
【００１８】
第１の技術手段は、光ディスクの半径位置によらず１周の記録領域中にプリピットでデータが記録された領域が存在する光ディスクを含む複数の種類の光ディスクへの情報記録及び記録情報の再生を行う光ディスク装置によるディスク判別方法であって、前記光ディスク装置が備える光ピックアップの対物レンズを焦点方向に駆動し、駆動した結果検出されるＳ字状のフォーカスエラー信号を含むサーボ信号の振幅を測定することにより、光ディスクの種類を判別するディスク判別方法において、対物レンズを焦点方向に駆動させる動作を往復駆動によって複数回行い、駆動した結果検出される各Ｓ字状のフォーカスエラー信号の振幅測定を行い、複数回の焦点方向への駆動により検出された各駆動方向毎の前記振幅測定結果のうちの中間値を採用し、中間値の振幅測定結果から光ディスクの種類を判別することを特徴としたものである。
【００１９】
第２の技術手段は、光ディスクの半径位置によらず１周の記録領域中にプリピットでデータが記録された領域が存在する光ディスクを含む複数の種類の光ディスクへの情報記録及び記録情報の再生を行う光ディスク装置によるディスク判別方法であって、光ディスク装置が備える光ピックアップの対物レンズを焦点方向に駆動し、駆動した結果検出されるＳ字状のフォーカスエラー信号を含むサーボ信号の振幅を測定することにより、光ディスクの種類を判別するディスク判別方法において、対物レンズを焦点方向に駆動させる動作を往復駆動によって複数回行い、駆動した結果検出される各Ｓ字状のフォーカスエラー信号毎に最大値及び最小値を測定し、測定した最大値の中間値及び最小値の中間値を採用し、各中間値からフォーカスエラー信号の振幅を求めて、求めた振幅から光ディスクの種類を判別することを特徴としたものである。
【００２０】
第３の技術手段は、第１の技術手段において、フォーカスエラー信号の各振幅測定結果のうち、中間値と比較して規定値以上異なる結果が存在する場合は、現在の光ディスクが半径位置によらず１周の記録領域の中にプリピットでデータが記録された領域が存在する光ディスクであると判別することを特徴としたものである。
【００２１】
第４の技術手段は、第２の技術手段において、フォーカスエラー信号の各最大値及び各最小値の測定結果のうち、中間値と比較して規定値以上異なる結果が存在する場合は、現在のディスクが半径位置によらず１周の記録領域の中にプリピットでデータを記録した領域が存在する光ディスクであると判別することを特徴としたものである。
【００２２】
第５の技術手段は、光ディスクの半径位置によらず１周の記録領域中にプリピットでデータが記録された領域が存在する光ディスクを含む複数の種類の光ディスクへの情報記録及び記録情報の再生を行うようにした光ディスク装置における信号ゲイン調整方法であって、前記光ディスク装置が備える光ピックアップの対物レンズを焦点方向に駆動し、駆動した結果検出されるＳ字状のフォーカスエラー信号の振幅を測定することにより、測定結果から前記光ディスク装置のサーボ信号生成部の回路ゲイン設定を行うようにした光ディスク装置の信号ゲイン調整方法において、対物レンズを焦点方向に駆動させる動作を往復駆動により複数回行い、駆動した結果検出される各Ｓ字状のフォーカスエラー信号の振幅測定を行い、複数回の焦点方向への駆動により検出された各駆動方向毎の前記振幅測定結果のうちの中間値を採用し、中間値の振幅測定結果から光ディスク装置のサーボ信号生成部の回路ゲイン設定を行うことを特徴としたものである。
【００２３】
第６の技術手段は、光ディスクの半径位置によらず１周の記録領域中にプリピットでデータが記録された領域が存在する光ディスクを含む複数の種類の光ディスクへの情報記録及び記録情報の再生を行う光ディスク装置であって、光ディスク装置は、ディスクに光スポットを結像する対物レンズ及び該対物レンズをその焦点方向に駆動するレンズ駆動手段を備える光ピックアップと、光ピックアップからの信号によりサーボ信号を生成するサーボ信号生成部と、サーボ信号生成部で生成されたサーボ信号の位相補償を行い、駆動信号に変換してレンズ駆動手段を駆動するサーボ制御部と、サーボ信号生成部で生成されたサーボ信号の測定を行って、光の種類の判別を行う制御部とを有し、制御部は、レンズ駆動手段により対物レンズを焦点方向に駆動させる動作を往復駆動により複数回行い、駆動した結果検出される各Ｓ字状のフォーカスエラー信号の振幅測定を行い、複数回の焦点方向への駆動により検出された各駆動方向毎の前記振幅測定結果のうちの中間値を採用し、中間値の振幅測定結果から光ディスクの種類を判別することを特徴としたものである。
【００２４】
第７の技術手段は、ディスクの半径位置によらず１周の記録領域中にプリピットでデータが記録された領域が存在するディスクを含む複数の種類の光ディスクへの情報記録及び記録情報の再生を行う光ディスク装置であって、光ディスク装置は、光ディスクに光スポットを結像する対物レンズ及び該対物レンズをその焦点方向に駆動するレンズ駆動手段を備える光ピックアップと、光ピックアップからの信号によりサーボ信号を生成するサーボ信号生成部と、サーボ信号生成部で生成されたサーボ信号の位相補償を行い、駆動信号に変換してレンズ駆動手段を駆動するサーボ制御部と、サーボ信号生成部で生成されたサーボ信号の測定を行って、光ディスクの種類の判別を行う制御部とを有し、制御部は、レンズ駆動手段により対物レンズを焦点方向に駆動させる動作を往復駆動により複数回行い、駆動した結果検出される各Ｓ字状のフォーカスエラー信号毎に最大値及び最小値を測定し、測定した最大値の中間値及び最小値の中間値を採用し、各中間値からフォーカスエラー信号の振幅を求めて、求めた振幅から光ディスクの種類を判別することを特徴としたものである。
【００２５】
第８の技術手段は、第６の技術手段において、制御部は、フォーカスエラー信号の各振幅測定結果のうち、中間値と比較して規定値以上異なる結果が存在する場合は、現在の光ディスクが半径位置によらず１周の記録領域の中にプリピットでデータを記録した領域が存在する光ディスクであると判別することを特徴としたものである。
【００２６】
第９の技術手段は、第７の技術手段において、フォーカスエラー信号の各最大値及び各最小値の測定結果のうち、中間値と比較して規定値以上異なる結果が存在する場合は、現在の光ディスクが半径位置によらず１周の記録領域の中にプリピットでデータを記録された領域が存在する光ディスクであると判別することを特徴としたものである。
【００２７】
第１０の技術手段は、光ディスクの半径位置によらず１周の記録領域中にプリピットでデータが記録された領域が存在する光ディスクを含む複数の種類の光ディスクへの情報記録及び記録情報の再生を行う光ディスク装置であって、光ディスク装置は、光ディスクに光スポットを結像する対物レンズ及び該対物レンズをその焦点方向に駆動するレンズ駆動手段を備える光ピックアップと、光ピックアップからの信号によりサーボ信号を生成するサーボ信号生成部と、サーボ信号生成部で生成されたサーボ信号の位相補償を行い、駆動信号に変換してレンズ駆動手段を駆動するサーボ制御部と、サーボ信号生成部で生成されたサーボ信号に基づいて前記サーボ信号生成部の回路ゲイン設定を行う制御部とを有し、制御部は、レンズ駆動手段により対物レンズを焦点方向に駆動させる動作を往復駆動により複数回行い、駆動した結果検出される各Ｓ字状のフォーカスエラー信号の振幅測定を行い、複数回の焦点方向への駆動により検出された各駆動方向毎の振幅測定結果のうちの中間値を採用し、中間値の振幅測定結果からサーボ信号生成部の回路ゲイン設定を行うことを特徴としたものである。
【発明の効果】
【００２８】
本発明によれば、複数種類の光ディスクを動作させる光ディスク装置において、対物レンズを焦点方向に複数回駆動してフォーカスエラー信号のＳ字状信号の振幅を測定することで、プリピットによる記録領域が形成されている光ディスクであっても、プリピット部による振幅異常の影響を受けることなく、信頼性の高いディスク判別とサーボ信号生成部の回路ゲイン設定を可能とすることができる。
さらに、上記のＳ字状波形の振幅測定において、そのピーク値とボトム値とをそれぞれ独立に測定し、測定値の大小関係の判別を行うことにより、さらに信頼性の高いディスク判別とサーボ信号生成部の回路ゲイン設定を可能とすることができる。
【発明を実施するための最良の形態】
【００２９】
本発明の光ディスク装置は上述の図６の構成にて実施することができ、図６の装置にて本発明の光ディスク判別方法及び信号ゲイン調整方法を実行することができる。
上述のように、図６に示す光ディスク装置は、光ピックアップ１０，サーボ信号生成部２０，サーボ制御部３０，システム制御部４０を備えている。光ピックアップ１０には、光源であるレーザダイオード、対物レンズを含む光学系、光ディスクからの反射光を受光する光検出器、対物レンズの光軸方向の位置を制御する対物レンズ駆動装置などが備えられている。そして、光ピックアップ１０からの信号によりサーボ信号生成部２０でサーボ信号を生成し、サーボ制御部３０でサーボ信号の位相補償を行い、駆動信号に変換して光ピックアップ１０の対物レンズ駆動装置を駆動する。
【００３０】
システム制御部４０は、例えばＡＤ変換装置などにより、サーボ信号生成部２０で生成されるサーボ信号の測定を行って、光ディスクの種類の判別、サーボ信号生成部２０の回路ゲインの設定、及びサーボループオンタイミング生成などの制御を行う。
【００３１】
ディスク種類の判別に際し、まずシステム制御部４０は、サーボ信号生成部２０やサーボ制御部３０に対して光ディスクの判別を行うのに適した回路を選択し、ゲインを設定する。例えば複数のレーザがある場合は、判別に適したレーザを選択する。そして、対物レンズを焦点方向に駆動して合焦点を通過させて、その時のサーボ信号生成部２０の出力であるフォーカスエラー信号の振幅、あるいは最大値及び最小値に基づいて光ディスクの種類を判別する。
【００３２】
以下に光ディスクの判別の具体的な処理例について説明する。
例えば、記録可能な光ディスクであるＤＶＤメディアには、ＤＶＤ−ＲＡＭ、ＤＶＤ−Ｒ、ＤＶＤ−ＲＷ等の種類がある。この中で、ＤＶＤ−ＲやＤＶＤ−ＲＷディスクにはプリピット部が形成されていないので、対物レンズを駆動することにより得られるフォーカスエラー信号のＳ字状波形の振幅は、光ディスクの反射率の変動等によるばらつき範囲に収まる。
【００３３】
しかしながら、ＤＶＤ−ＲＡＭには、ディスクＩＤ情報が記録されたプリピット部が形成されている。このようなＤＶＤ−ＲＡＭディスクに対して対物レンズを駆動させたとき、得られるフォーカスエラー信号のＳ字状波形の発生部分に上記のプリピット部が存在した場合は、そのＳ字状波形の振幅が他のデータ記録領域部分の振幅より大きくなる。すなわち、前述したように、プリピット以外の部分で得られるフォーカスエラー信号は、図８（Ａ）に示すようなＳ字状の波形となり、プリピット部分で得られるフォーカスエラー信号は、図８（Ｂ）あるいは図８（Ｃ）のようなＳ字状波形となる。
【００３４】
また、前述のごとくの片面に２層の記録層を有する２層ディスクの場合は、対物レンズの１回の駆動（焦点方向への１方向の駆動）で、Ｓ字状波形が２回観測される。さらに、２層ディスクの各層の特性は所定の規格に定められた範囲にあるので、２つのＳ字波形の振幅の振幅比はある範囲内に収まる。
【００３５】
以上のごとくの各光ディスクの特性に基づいて、対物レンズを駆動したときに得られるフォーカスエラー信号のＳ字波形の振幅から、光ディスクの種類を判別することができる。例えば、対物レンズの１回の駆動でＳ字状波形が２回観測されれば、２層ディスクであるものと判断できる。また、ＤＶＤ−Ｒの反射率はＤＶＤ−ＲＷの約３倍であるため、これらを判別できる規定値を予め設定し、対物レンズの１度の駆動で得られたフォーカスエラー信号のＳ字状波形の振幅が、その規定値以上であればＤＶＤ−Ｒと判断し、規定値以下ならＤＶＤ−ＲＷと判断することができる。
【００３６】
ここで、ＤＶＤ−ＲＡＭの反射率はＤＶＤ−ＲＷとほぼ同じであり、ＤＶＤ−ＲＡＭのプリピット部以外の領域、すなわち溝部のデータ記憶領域で測定したＳ字状波形は、ＤＶＤ−ＲＷとほぼ同じ振幅となる。上記のようにＤＶＤ−ＲＷのプリピット部でＳ字波形を測定するとその振幅が大きくなるため、振幅が規定値以上ある場合は、それがプリピットによるものか、反射率によるものかの判別が必要となる。
【００３７】
一般的には、プリピット部に記録されているアドレス情報は、溝部のデータ記録領域に記録されるデータ量に比べて小さいため、対物レンズを焦点方向に駆動して、複数回フォーカスエラー信号のＳ字状波形を発生させて測定を行うことにより、プリピット部の影響の有無を判別することができる。
【００３８】
すなわち、対物レンズの一方向への移動操作を複数回行って複数のＳ字状波形を測定するとき、対物レンズの駆動周期と光ディスクの回転周期が同じでない限り、複数回のＳ字状波形は光ディスクの異なる場所を測定することになる。このときに、上述のようにプリピット部の領域は、他のデータ記憶領域に比して小さいため、複数回の全てにおいてプリピット部で測定が行われる可能性は極めて小さい。
【００３９】
複数回対物レンズを駆動させたとき、複数回のＳ字状波形の振幅のばらつきはプリピットの影響が無ければ、光ディスクの反射率変動などに起因する振幅のばらつき範囲となり、このばらつきの幅は前もって予測がつく。プリピット部の影響がある場合は、この予測範囲を超えて大きな振幅のＳ字状波形が生じる。従って振幅測定結果があるばらつきの範囲内にある場合はプリピット部のない光ディスクか測定時にプリピットを通過しなかったことになる。
こうして、複数回のＳ字状波形の振幅から、プリピット部の影響の有無を判別することができる。
【００４０】
また、同様にゴミ等が光ディスクに付着したり光ディスクに傷がついた場合は反射率が低下し、その場合Ｓ字状波形の振幅は小さくなる。このときに、ゴミや傷が光ディスクの全面にあるとは考えられないため、対物レンズの駆動周期と光ディスクの回転周期をずらしておけば、Ｓ字状波形の発生位置に同じゴミや傷がかかることは考えられない。従って、複数回対物レンズを駆動させ、予測範囲を超えて小さい振幅のＳ字状波形がある場合、ゴミや傷の影響による反射率低下であるものと判断することができる。
【００４１】
図１は、本発明によるディスク判別または信号ゲイン設定の処理例を説明するため図で、フォーカスエラー信号のＳ字状波形の例を示す図である。
例えば、フォーカスエラー信号のＳ字状信号の測定を３回行うとすると、対物レンズを１往復半焦点方向に駆動する必要がある。このとき得られたフォーカスエラー信号が図１に示すような波形であるとすると、測定回数３回なので２番目に大きい値である中間値Ｘｂを採用して測定結果として光ディスクの種類判別を行う。
【００４２】
測定値の中間値を採用するのは、上述のプリピットやゴミ、傷等の影響を排除するためである。プリピットを測定する確率や、光ディスクに付着したゴミあるいは光ディスクの傷の部分を測定する確率は非常に低い。ここで、複数回対物レンズを駆動して往復動作を行わせ、各方向への駆動ごとにフォーカスエラー信号のＳ字状波形を測定し、その中間値を採用することにより、これらプリピットやゴミないし傷が影響したＳ字状波形を排除することができる。複数回の対物レンズの駆動において、プリピットやゴミないし傷に複数回かかる確率は極めて小さく、上記中間値を取る手法により、信頼性の高い測定を行うことができる。
【００４３】
フォーカスエラー信号の複数回の測定結果のうち、測定結果の中間値と比較して規定値以上の異なる測定結果が存在する場合は、プリピット部のため振幅が大きくなったと判断して、動作しようとしている光ディスクに、プリピットで記録された領域が存在するものと判定することができる。
またプリピットについては、光ディスクの記録領域における存在確率がわかっているため、対物レンズの駆動周期を光ディスクの回転周期の設定を考慮して、測定回数を設定してもよい。
【００４４】
図２は、本発明によるディスク判別または信号ゲイン設定の他の処理例を説明するため図で、フォーカスエラー信号のＳ字状波形の例を示す図である。ここでは、図１で説明したようにフォーカスエラー信号のＳ字状信号の振幅値を測定するのではなく、それぞれのＳ字状波形のピーク値とボトム値を測定することでさらにプリピット部の影響を抑えることができる。例えばフォーカスエラー信号が図２に示すようになった場合、振幅のみの測定の場合はＹｃが中間値となりプリピット部の影響がある振幅値が測定結果となる。しかし、ピーク値とボトム値をそれぞれ測定することで、ピーク値としてＭＡｂ、ボトム値としてＭＩａが採用され、これらから振幅値としてはＭＡｂ−ＭＩａとなり、プリピット部の影響を無くすことができる。
【００４５】
上記の例の場合、各測定値を比較することで、プリピット部の有無を判別することができる。図１の例の場合はＸｂとＸａを比較して光ディスクの反射率変動などを考えたばらつき以上に差がある場合は、プリピットがあったものと判断する。図２の例の場合は、ＹａとＭＡｂ−ＭＩａを比較し、光ディスクの反射率変動などを考えたばらつき以上に差がある場合は、プリピットがあったものと判断する。例えば、フォーカスエラー信号の複数回の測定結果のうち測定結果の中間値と比較して規定値以上異なる測定結果が存在する場合は、プリピット部のため振幅が大きくなったと判断して、動作しようとしている光ディスクに、プリピットで記録された領域が存在するものと判定することができる。
【００４６】
また、それぞれの例では振幅値がＸｂ、ＭＡｂ−ＭＩａとなるので、その値により判別を行うと共に、サーボ信号生成部の回路ゲインをその値をもとに設定すればよい。これにより、プリピットの影響を排除して最適な回路ゲインの設定を行うことができる。
【００４７】
この他、光ディスク装置で光ピックアップからの信号をもとにサーボ信号を生成するブロックとサーボ信号を取り込んで判断する制御部分から構成することを基本として、サーボ信号をＡＤ変換器で取り込み、ディジタル処理でＳ字状波形のピーク値、ボトム値、及び振幅値を求めることにより、上述の処理によってディスク判別及び信号ゲイン設定を行うようにしてもよい。
また、サーボ信号を生成するブロックにピークホールド回路及びボトムホールド回路を置いて、その出力をＡＤ変換機で取り込んで、ピーク値、ボトム値、及び振幅値を求め、上述の処理によってディスク判別及び信号ゲイン設定を行うようにしてもよい。
【００４８】
図３は、本発明のディスク判別方法の処理例を説明するためのフローチャートである。ここで用いる光ディスク装置は、光ディスクの半径位置によらず１周の記録領域中にプリピットでデータが記録された領域が存在する光ディスクを含む複数の種類の光ディスクへの情報記録及び記録情報の再生が可能である。
まず、対物レンズを焦点方向に駆動させる動作を往復駆動により複数回を行い(ステップＳ１)、その結果検出される各Ｓ字状のフォーカスエラー信号の振幅測定を行う(ステップＳ２)。そして複数回の焦点方向への駆動により検出された各駆動方向毎の前記振幅測定結果のうちの中間値を採用し(ステップＳ３)、その中間値の振幅測定結果から光ディスクの種類を判別する(ステップＳ４)。このときに、フォーカスエラー信号の各振幅測定結果のうち、中間値と比較して規定値以上異なる結果が存在する場合は、現在のディスクが半径位置によらず１周の記録領域の中にプリピットでデータが記録された領域が存在する光ディスクであるものと判別する。
【００４９】
図４は、本発明のディスク判別方法の他の処理例を説明するためのフローチャートである。ここで用いる光ディスク装置も同様に、光ディスクの半径位置によらず１周の記録領域中にプリピットでデータが記録された領域が存在する光ディスクを含む複数の種類の光ディスクへの情報記録及び記録情報の再生が可能である。
まず、対物レンズを焦点方向に駆動させる動作を往復駆動によって複数回行い（ステップＳ１１）、駆動した結果検出される各Ｓ字状のフォーカスエラー信号毎に最大値及び最小値を測定する（ステップＳ１２）。そして測定した最大値の中間値及び最小値の中間値を採用し(ステップＳ１３)、各中間値からフォーカスエラー信号の振幅を求めて(ステップＳ１４)、求めた振幅から光ディスクの種類を判別する(ステップＳ１５)。このときに、フォーカスエラー信号の各最大値及び各最小値の測定結果のうち、その中間値と比較して規定値以上異なる結果が存在する場合は、現在の光ディスクが半径位置によらず１周の記録領域の中にプリピットでデータを記録された領域が存在する光ディスクであるものと判別する。
【００５０】
図５は、本発明の信号ゲイン設定方法の処理例を説明するためのフローチャートである。ここで用いる光ディスク装置も同様に、光ディスクの半径位置によらず１周の記録領域中にプリピットでデータを記録した領域が存在する光ディスクを含む複数の種類の光ディスクへの情報記録及び記録情報の再生が可能である。
まず対物レンズを焦点方向に駆動させる動作を往復駆動により複数回行い（ステップＳ２１）、駆動した結果検出される各Ｓ字状のフォーカスエラー信号の振幅測定を行う（ステップＳ２２）。そして複数回の焦点方向への駆動により検出された各駆動方向毎の振幅測定結果のうちの中間値を採用し(ステップＳ２３)、その中間値の振幅測定結果から光ディスク装置のサーボ信号生成部の回路ゲイン設定を行う(ステップＳ２４)。
【図面の簡単な説明】
【００５１】
【図１】本発明によるディスク判別または信号ゲイン設定の処理例を説明するため図である。
【図２】本発明によるディスク判別または信号ゲイン設定の他の処理例を説明するため図である。
【図３】本発明のディスク判別方法の処理例を説明するためのフローチャートである。
【図４】本発明のディスク判別方法の他の処理例を説明するためのフローチャートである。
【図５】本発明の信号ゲイン設定方法の処理例を説明するためのフローチャートである。
【図６】光ディスク装置の構成例を説明するためのブロック図である。
【図７】光ピックアップの構成の一例を概略的に示す図である。
【図８】対物レンズが焦点方向に移動したときのフォーカスエラー信号の波形例を示す図である。
【符号の説明】
【００５２】
１０…光ピックアップ、１１…光源、１１ａ，１１ｂ…レーザダイオード、１２…回折格子、１３…ビームスプリッタ、１４…対物レンズ、１５…光検出器、２０…サーボ信号生成部、３０…サーボ制御部、４０…システム制御部。
【図１】
2005346867.tif 000003
【図２】
2005346867.tif 000004
【図３】
2005346867.tif 000005
【図４】
2005346867.tif 000006
【図５】
2005346867.tif 000007
【図６】
2005346867.tif 000008
【図７】
2005346867.tif 000009
【図８】
2005346867.tif 000010